(57)【要約】【課題】収納空間の上部、中部、下部で除菌ガスの濃度を速やかに均一化して除菌対象物を好適に除菌し得る除菌装置及びそれを用いた除菌室を提供する。【解決手段】薬剤を収容した容器１４と、容器１４の上方に対向配置させる紫外線ランプ１５と、容器１４の側方に配置させる排気ファン１７と、ケース本体１９とを備え、ケース本体１９は、容器１４の側方で排気ファン１７と対称な位置に空気取込口２０を形成すると共に、気流の両側を開放するよう容器１４の周囲を外気に露出させる。これにより、容器１４と紫外線ランプ１５の間に空気を流通させると共に、気流方向と異なる方向から空気を流通させるので、容器１４と紫外線ランプ１５の間に発生した除菌ガスを滞りなく収納空間に流出させて、収納空間で除菌ガスの濃度を速やかに均一化し、除菌対象物を好適に除菌することができる。【選択図】        図２
2004275582.tif 000002
【特許請求の範囲】
【請求項１】
薬剤を収容し且つ上方を開放した容器と、該容器の上方に対向配置させる紫外線ランプと、前記容器の側方に配置させる排気ファンと、前記容器を交換可能に配置すると共に紫外線ランプ並びに排気ファンを固定するケース本体とを備え、
前記ケース本体は、容器と紫外線ランプの間に気流を形成するよう容器の側方で排気ファンと対称な位置に空気取込口を形成すると共に、気流の両側を開放するよう容器の周囲を外気に露出させたことを特徴とする除菌装置。
【請求項２】
ケース本体は、空気取込口が下面に形成される取込ダクトを備えた請求項１記載の除菌装置。
【請求項３】
排気ファンは、風向が上方から下方に向かうよう構成された請求項１又は２記載の除菌装置。
【請求項４】
容器に入れる薬剤を、二酸化塩素溶液又は二酸化塩素を溶存させたゲル状固形物のいずれかにした請求項１、２又は３記載の除菌装置。
【請求項５】
請求項１〜４のいずれかの除菌装置を、除菌室本体の収納空間の上方に配置したことを特徴とする除菌装置を用いた除菌室。
【請求項６】
除菌室本体の開閉ドアを完全密閉可能に構成すると共に、角部に空気流通孔を形成した請求項５記載の除菌室。
【発明の詳細な説明】
【０００１】
【発明の属する技術分野】
本発明は、収納空間に収納した除菌対象物を除菌し得る除菌装置及びそれを用いた除菌室に関するものである。
【０００２】
【従来の技術】
従来、作業着や衣服及び作業靴等を除菌する場合には、図５に示す如く、薬剤を入れた容器１と、容器１に照射する紫外線ランプ２と、空気を流通させるファン３とにより構成された除菌手段を、更衣ロッカー４の収納空間５の上部に設置し、紫外線ランプ２で容器１の薬剤をガス化してファン３により拡散させ、作業着、白衣等の衣服Ａ及び作業靴Ｂ等の対象物を除菌するものがある。
【０００３】
図中、６は更衣ロッカー４の扉を、７は上部に左右に亘って設けられたハンガー等を吊るすための丸棒を、８はプラスチック製あるいはステンレス製等の網状又は棒材を隙間を持たせて配列した通気性を有する上部棚を、９は前記上部棚８と同様の構成を有して設けられた下部棚を、１０は紫外線ランプ２を制御する制御器を、１１は更衣ロッカー４の背面に形成された開閉可能な排気口を示している。ここで、除菌手段を備えた除菌ロッカーには、例えば、先行出願１の如きものがある。
【０００４】
【先行出願１】
実願２００２−４２８１号明細書
【０００５】
【発明が解決しようとする課題】
しかし、このような除菌手段を通常の更衣ロッカー４に配置して、作業着、白衣等の衣服Ａを除菌しようとすると、更衣ロッカー４内の上部、中部、下部では、均一に除菌できないことがわかった。すなわち、更衣ロッカー４に従来例の除菌手段を取り付けて除菌する場合には、ファン能力が大きいほど、更衣ロッカー４の換気口や隙間から除菌ガスが激しく流出するため、除菌の最低必要濃度までに達することができず、一方、ファン能力が小さいほど、更衣ロッカー４内の上部と下部に大きな濃度差を生じるため、下部が除菌の最低必要濃度に達するまでに最低３０分以上必要となり、均一に除菌できないという問題があった。
【０００６】
又、完全密閉できる構造の更衣ロッカー４に作業着、白衣等の衣類Ａを入れて除菌しようとすると、作業着、白衣等の衣類Ａの除菌対象物が障害となり、更衣ロッカー４内の上部と下部に大きな除菌濃度差を生じるため、通常の更衣ロッカー４の場合と略同様に、更衣ロッカー４の下部が除菌の最低必要濃度に達するまでに時間がかかり、均一に除菌できず、ファン３を単純に上向き、横向き、下向きに変更しただけでは解決できないという問題があった。更に、除菌手段を更衣ロッカー４に配置して除菌する際には、時間をかけることにより除菌は可能になるが、時間の経過と共に除菌ガスが蓄積されるため、更衣ロッカー４の上部だけが安全な濃度を超える虞れがあった。
【０００７】
本発明は、収納空間の上部、中部、下部で除菌ガスの濃度を速やかに均一化して除菌対象物を好適に除菌し得る除菌装置及びそれを用いた除菌室を提供することを目的とする。
【０００８】
【課題を解決するための手段】
本発明は以上の目的を達成するためになしたもので、請求項１記載の発明は、薬剤を収容し且つ上方を開放した容器と、該容器の上方に対向配置させる紫外線ランプと、前記容器の側方に配置させる排気ファンと、前記容器を交換可能に配置すると共に紫外線ランプ並びに排気ファンを固定するケース本体とを備え、
前記ケース本体は、容器と紫外線ランプの間に気流を形成するよう容器の側方で排気ファンと対称な位置に空気取込口を形成すると共に、気流の両側を開放するよう容器の周囲を外気に露出させたことを特徴とする除菌装置、に係るものである。
【０００９】
請求項２記載の発明は、ケース本体は、空気取込口が下面に形成される取込ダクトを備えた請求項１記載の除菌装置、に係るものである。
【００１０】
請求項３記載の発明は、排気ファンは、風向が上方から下方に向かうよう構成された請求項１又は２記載の除菌装置、に係るものである。
【００１１】
請求項４記載の発明は、容器に入れる薬剤を、二酸化塩素溶液又は二酸化塩素を溶存させたゲル状固形物のいずれかにした請求項１、２又は３記載の除菌装置、に係るものである。
【００１２】
請求項５記載の発明は、請求項１〜４のいずれかの除菌装置を、除菌室本体の収納空間の上方に配置したことを特徴とする除菌装置を用いた除菌室、に係るものである。
【００１３】
請求項６記載の発明は、除菌室本体の開閉ドアを完全密閉可能に構成すると共に、角部に空気流通孔を形成した請求項５記載の除菌室、に係るものである。
【００１４】
除菌装置により除菌対象物を除菌する際には、容器に紫外線を照射することにより容器中の薬剤をガス化して除菌ガスを発生させ、同時に空気取込口から排気ファンまで気流を形成して容器と紫外線ランプの間を通過させることにより、除菌ガスを収納空間に拡散させる。このとき、空気取込口から生じる気流は、容器周囲の露出部分から空気を取り込んで、容器と紫外線ランプの間に発生した除菌ガスを確実に流出させる。又、気流の流れ方向によっては、容器周囲の露出部分から除菌ガスを流出させる。
【００１５】
このように、請求項１によれば、容器と紫外線ランプの間に空気を流通させるよう空気取込口から排気ファンまで気流を形成すると共に、容器の周囲を外気に露出させて気流方向と異なる方向から空気を流通させるので、容器と紫外線ランプの間に発生した除菌ガスを滞りなく収納空間に流出させて、収納空間の上部、中部、下部で除菌ガスの濃度を速やかに均一化し、除菌対象物を好適に除菌することができる。又、作業着、白衣等の除菌対象物が障害となっても、空気取込口から排気ファンまでに形成された気流、及び容器の周囲の露出部分により除菌ガスを滞りなく収納空間に流出させるので、除菌ガスは収納空間の隅々に到達して除菌対象物の障害に影響を最小限にすることができる。更に、除菌ガスは収納空間の上部、中部、下部で速やかに均一化するので、短時間で除菌して除菌ガスが蓄積することを防止し、除菌ガスの濃度を安全な濃度に確実に維持することができる。
【００１６】
請求項２に示す如く、ケース本体は、空気取込口が下面に形成される取込ダクトを備えると、下方から上方へ向かって空気を取り込むので、上下方向の空気の流れを生じて、収納空間の上部、中部、下部の除菌ガス濃度を速やかに均一化し、結果的に、除菌対象物を確実に除菌することができる。
【００１７】
請求項３に示す如く、排気ファンは、風向が上方から下方に向かうよう構成されると、上方から下方へ向かって除菌ガスを流出させるので、上下方向の空気の流れを更に生じて、収納空間の上部、中部、下部の除菌ガス濃度を速やかに均一化し、結果的に、除菌対象物を一層確実に除菌することができる。
【００１８】
請求項４に示す如く、容器に入れる薬剤を、二酸化塩素溶液又は二酸化塩素を溶存させたゲル状固形物のいずれかにすると、除菌対象物を確実に除菌し得ると共に、脱臭及び防虫処理することができる。
【００１９】
請求項５によれば、除菌室本体の収納空間の上方に配置された請求項１〜４のいずれかの除菌装置から除菌ガスを発生させることにより、除菌室本体の収納空間で除菌ガスの速やかな流れを生じさせると共に重力による拡散を利用するので、収納空間の上部、中部、下部で除菌ガスの濃度を短時間で均一化し、除菌対象物を好適に除菌することができる。又、作業着、白衣等の除菌対象物が障害となっても、除菌装置の除菌ガスの速やかな流れ、及び重力による拡散により除菌ガスを滞りなく収納空間に流出させるので、除菌ガスは収納空間の隅々に到達して除菌対象物の障害に影響を最小限することができる。更に、除菌ガスは収納空間の上部、中部、下部で速やかに均一化するので、短時間で除菌して除菌ガスが蓄積することを防止し、除菌ガスの濃度を安全な濃度に確実に維持することができる。
【００２０】
請求項６に示す如く、除菌室本体の開閉ドアを完全密閉可能に構成すると共に、角部に空気流通孔を形成すると、除菌ガスが収納空間の隅々まで確実に到達し得る対流を形成するので、収納空間の上部、中部、下部で除菌ガスの濃度を更に短時間で均一化し、除菌対象物を最も好適に除菌することができる。
【００２１】
【発明の実施の形態】
以下、本発明の実施の形態を図面に基づいて説明する。
【００２２】
図１〜図４は本発明を実施する除菌装置の形態例を示すものである。
【００２３】
本実施例の除菌装置１３は、上方を開放したプラスチックもしくは金属製の筒状の容器１４と、容器１４の上方に所定の間隔を介して対向配置される紫外線ランプ１５と、容器１４に隣接して排気口１６を形成する排気ファン１７と、排気ファン１７に隣接して配置される制御部１８とを備え、ケース本体１９により、容器１４は交換可能に配置されると共に、紫外線ランプ１５、排気ファン１７及び制御部１８を固定している。
【００２４】
容器１４は、直径５〜１５ｃｍの口径を有して内部に２×１０３ｐｐｍから３×１０４ｐｐｍの濃度の二酸化塩素溶液又は二酸化塩素を溶存させたゲル状固形物のいずれかの薬剤を収容している。ここで、薬剤の濃度は特に５×１０３ｐｐｍから１×１０４ｐｐｍの濃度が好ましく、薬剤の種類は二酸化塩素以外のものでもよい。
【００２５】
紫外線ランプ１５は、２Ｗ〜１５Ｗの棒状のランプを使用している。ここで、紫外線ランプ１５のワット数は４Ｗ〜８Ｗが好ましい。
【００２６】
排気ファン１７は、毎分１×１０３回転〜５×１０３回転で回転する羽根により風向が上方から下方に向かうよう回転軸を上下方向に配置しており、羽根の周囲には、軸線の長さ方向で２ｃｍ〜５ｃｍの筒状の外周体１７ａを備えている。ここで、排気ファン１７のファン能力は、毎分２×１０３回転〜３×１０３回転が好ましい。
【００２７】
制御部１８は、タイマ機能を備えており、紫外線ランプ１５の照射時間及び排気ファン１７の駆動時間を制御しており、除菌ガスの濃度を安全な濃度に確実に維持するよう設定されている。ここで、制御部１８は、濃度検出機能を備えてもよいし、他の機能を設けてもよい。
【００２８】
ケース本体１９は、容器１４の側方で排気ファン１７と略対称な位置に空気取込口２０を形成するよう取込ダクト２１を形成し、取込ダクト２１には下面に空気取込口２０を配している。又、ケース本体１９の空気取込口２０から排気ファン１７へ向かう方向の両側部は、容器１４の周囲は外気に露出させるよう壁面を取り除いている。更に、ケース本体１９の取込ダクト２１と容器１４の間には、容器１４と紫外線ランプ１５の間に気流を好適に流し得るよう、容器１４の高さと略等しい高さの案内段部２２を形成している。ここで、ケース本体１９に配置される容器１４は、ケース本体１９に形成された載置部２３に載置されると共に周囲部２４，２５により挟み込まれて固定されており、容器１４の薬剤が無くなった際に交換し得るようにしている。又、ケース本体１９の排気ファン１７の周囲位置には、気流を下方に誘導し得る誘導部２６を配している。
【００２９】
以下、本発明の殺菌装置の実施の形態例の作用を説明する。
【００３０】
除菌装置１３により除菌対象物を除菌する際には、予め除菌装置１３を更衣ロッカー等の収納空間の上部に設置しておき、作業着、白衣等の衣服Ａ及び作業靴Ｂ等の除菌対象物を収納空間に配置して準備する。除菌対象物を配置した後には、制御部１８によって紫外線ランプ１５を点灯すると共に排気ファン１７を駆動し、紫外線ランプ１５から容器１４に紫外線を照射することにより容器１４中の薬剤をガス化して除菌ガスを発生させ、又、同時に排気ファン１７によって空気取込口２０から排気口１６まで気流を形成して容器１４と紫外線ランプ１５の間を通過させることにより、除菌ガスを収納空間の下方に拡散させる。
【００３１】
このとき、空気取込口２０から排気口１６に向かう気流は、容器１４周囲の露出部分から空気を取り込んで、容器１４と紫外線ランプ１５の間に発生した除菌ガスを確実に流出させる。又、気流の流れ方向によっては、容器１４周囲の露出部分から除菌ガスを流出させる。
【００３２】
このように、本発明の除菌装置１３によれば、容器１４と紫外線ランプ１５の間に空気を流通させるよう排気ファン１７により空気取込口２０から排気口１６まで気流を形成すると共に、容器１４の周囲を外気に露出させて気流方向と異なる方向から空気を流通させるので、容器１４と紫外線ランプ１５の間に発生した除菌ガスを滞りなく収納空間に流出させて、収納空間の上部、中部、下部で除菌ガスの濃度を速やかに均一化し、除菌対象物を好適に除菌することができる。又、作業着、白衣等の除菌対象物が障害となっても、空気取込口２０から排気口１６までに形成された気流、及び容器１４の周囲の露出部分により除菌ガスを滞りなく収納空間に流出させるので、除菌ガスは収納空間の隅々に到達して除菌対象物の障害に影響を最小限にすることができる。更に、除菌ガスは収納空間の上部、中部、下部で速やかに均一化するので、短時間で除菌して除菌ガスが蓄積することを防止し、除菌ガスの濃度を安全な濃度に確実に維持することができる。更に又、除菌装置１３は持ち運び可能に構成されるので、除菌が終了した後は、更衣ロッカーから取り外し得るので、更衣ロッカーを広く使用することができ、又、他の更衣ロッカーに設置して使用するので、一台の除菌装置１３で複数の更衣ロッカーに使い回しすることができる。
【００３３】
ここで、空気取込口２０から排気口１６までの気流の両側を開放するよう容器１４の周囲を外気に露出させる場合の作用を明瞭に示すために、容器１４の周囲を外気に露出させた実施例と、容器１４の周囲を外気と遮蔽した比較例（空気取込口２０から排気口１６までの気流のみ）とを上部、中部、下部の濃度で対比した。表１には実施例、表２には比較例を示し、数値は二酸化塩素の濃度（ｐｐｍ）を示す。
【００３４】
【表１】
2004275582.tif 000003
【００３５】
【表２】
2004275582.tif 000004
【００３６】
結果において、初め表１と表２の対比を予想すると、容器１４の周囲を外気と遮蔽して空気取込口２０から排気口１６までの気流のみ（比較例）とした場合の方が、除菌ガスの送風が効率的になると思われたが逆の結果になった。すなわち、容器１４の周囲を外気に露出させた実施例が、表１に示す如く、除菌ガスの立ち上がり濃度（１５分後）が高く、更衣ロッカーに速やかに拡散して均一化した（６０分後、１２０分後）。従って、容器１４の周囲を外気に露出させた実施例が、収納空間の上部、中部、下部で除菌ガスの濃度を速やかに均一化することができる。
【００３７】
ここで、除菌ガスを発生させる条件は、容器１４内の薬剤の濃度が２×１０３ｐｐｍから３×１０４ｐｐｍ、紫外線ランプ１５のワット数が２Ｗ〜１５Ｗ、排気ファン１７のファン能力が毎分１×１０３回転〜５×１０３回転の場合に好適であり、容器１４内の薬剤の濃度が５×１０３ｐｐｍ〜１×１０４ｐｐｍ、紫外線ランプ１５のワット数が４Ｗ〜８Ｗ、排気ファン１７のファン能力は、毎分２×１０３回転〜３×１０３回転の場合に最も好適である。一方、容器１４内の薬剤の濃度が２×１０３ｐｐｍより小さい、もしくは紫外線ランプ１５のワット数が２Ｗより小さい場合は、除菌を為し得る濃度の除菌ガスを発生させることができず、容器１４内の薬剤の濃度が２×１０４ｐｐｍより大きい、もしくは紫外線ランプ１５のワット数が１５Ｗより大きい場合いは、安全な濃度を維持できなくなる虞れがある。更に排気ファン１７のファン能力が毎分１×１０３回転より小さい場合は、除菌ガスを十分に拡散させることができず、毎分５×１０３回転より大きい場合は、除菌ガスが更衣ロッカーの換気口や隙間から流出する。
【００３８】
本発明の除菌装置１３において、ケース本体１９は、空気取込口２０が下面に形成される取込ダクト２１を備えると、下方から上方へ向かって空気を取り込むので、水平方向の流れに加えて上下方向の空気の流れを生じて、収納空間の上部、中部、下部の除菌ガス濃度を速やかに均一化し、結果的に、除菌対象物を確実に除菌することができる。
【００３９】
ここで、ケース本体１９に取込ダクト２１を形成した場合の作用を明瞭に示すために、取込ダクト２１を形成した実施例と、取込ダクト２１のない比較例（ケース本体１９のみ）とを上部、中部、下部の濃度で対比した。表３には実施例、表４には比較例を示し、数値は二酸化塩素の濃度（ｐｐｍ）を示す。
【００４０】
【表３】
2004275582.tif 000005
【００４１】
【表４】
2004275582.tif 000006
【００４２】
結果において、取込ダクト２１を形成した実施例が、表３に示す如く、除菌ガスの立ち上がり濃度（１５分後）が高く、更衣ロッカーに速やかに拡散して均一化した（６０分後、１２０分後）。従って、取付ダクトを形成した実施例が、収納空間の上部、中部、下部で除菌ガスの濃度を速やかに均一化することができる。
【００４３】
又、本発明の除菌装置１３において、排気ファン１７は、風向が上方から下方に向かうよう構成されると、上方から下方へ向かって除菌ガスを流出させるので、水平方向の流れに加えて上下方向の空気の流れを更に生じて、収納空間の上部、中部、下部の除菌ガス濃度を速やかに均一化し、結果的に、除菌対象物を一層確実に除菌することができる。ここで、回転ファンの外周体１７ａの長さは２ｃｍ〜５ｃｍが好ましく、外周体１７ａの長さが５ｃｍより大きい場合及び２ｃｍより小さい場合は除菌ガスが立ち上がり濃度（１５分後）が低い。
【００４４】
容器１４に入れる薬剤を、二酸化塩素溶液又は二酸化塩素を溶存させたゲル状固形物のいずれかにすると、除菌対象物を確実に除菌し得ると共に、脱臭及び防虫処理することができる。
【００４５】
図３、図４は本発明の実施の除菌装置を用いた除菌室の形態例を示すものである。
【００４６】
本実施例の除菌室２７は、除菌室本体２８に開閉ドア２９を備えて更衣ロッカーと略同じ大きさに形成されており、除菌室本体２８の収納空間３０の上方に網状の上部棚３１を介して、先の除菌装置１３を配置している。ここで、図３は、収納空間３０の上部に左右に亘って設けられた丸棒３２を備えて、作業着、白衣等の衣服Ａを除菌対象物とし得るように構成された例を示し、図４は、収納空間３０の中部、下部に網状の中部棚３３及び下部棚３４を備えて、作業靴Ｂやタオル等の小物Ｃを除菌対象物とし得るように構成された例を示している。
【００４７】
除菌室本体２８に備えられた開閉ドア２９は、除菌室本体２８に対して完全密閉可能になるよう、開閉ドア２９の外周にゴムパッキン（図示せず）を配置しており、除菌室本体２８は角部に数ｍｍの空気流通孔の隙間Ｓのみを備えている。ここで、空気流通孔の隙間Ｓは除菌室本体２８を製造する際に生じる隙間Ｓでもよい。
【００４８】
以下、本発明の除菌装置を用いた除菌室の実施の形態例の作用を説明する。
【００４９】
除菌室２７により除菌対象物を除菌する際には、予め除菌装置１３を衣服Ａ、作業靴Ｂ、小物Ｃ等の除菌対象物を収納空間３０に配置して準備する。除菌対象物を配置した後には、先の除菌装置１３を駆動させて除菌ガスを収納空間３０の下方に拡散させる。
【００５０】
このように、本発明の除菌室２７によれば、除菌室本体２８の収納空間３０の上方に配置された先の除菌装置１３から除菌ガスを発生させることにより、除菌室本体２８の収納空間３０で水平方向及び上下方向へ向かって除菌ガスの速やかな流れを生じさせる共に重力による拡散を利用するので、収納空間３０の上部、中部、下部で除菌ガスの濃度を短時間で均一化し、除菌対象物を好適に除菌することができる。又、作業着、白衣の衣類Ａ、作業靴Ｂ、小物Ｃ等の除菌対象物が障害となっても、除菌装置１３の除菌ガスの水平方向及び上下方向への速やかな流れ、及び重力による拡散により除菌ガスを滞りなく収納空間３０に流出させるので、除菌ガスは収納空間３０の隅々に到達して除菌対象物の障害に影響を最小限することができる。更に、除菌ガスは収納空間３０の上部、中部、下部で速やかに均一化するので、短時間で除菌して除菌ガスが蓄積することを防止し、除菌ガスの濃度を安全な濃度に確実に維持することができる。
【００５１】
ここで、除菌室２７の除菌の作用を除菌試験として示す。除菌試験の条件としては、除菌室２７の収納空間３０の中央部に金網棚を設け、白衣生地及び食パンの除菌対象物を無菌シャーレに入れてオープン状態で載置した。なお、白衣生地及び食パンの除菌対象物は、無菌的にサンプリングし且つ均一に汚している。表５には結果を示し、数値は一般細菌数（個／ｇ）を示す。又、二酸化塩素ガスの濃度測定値は、１５分で１．０ｐｐｍ、３時間で６．０ｐｐｍであった。
【００５２】
【表５】
2004275582.tif 000007
【００５３】
結果において、白衣生地及び食パンの除菌対象物において優れた除菌効果を示すことが明らかである。又、処理時間は１時間以上で除菌効果を生じるが、３時間処理することが好ましい。
【００５４】
続いて、除菌室２７の作用を明瞭に示すために。除菌室本体２８に先の除菌装置１３を備えた実施例と、除菌室本体２８に容器１４及び紫外線ランプ１５並びに排気ファン１７の除菌手段を備えた比較例（除菌装置１３のケース本体１９がない状態）とを上部、中部、下部の濃度で比較して示す。除菌室本体２８の内部空間には５着の白衣を懸吊して試験した。表６には実施例、表７には比較例を示し、数値は二酸化塩素の濃度（ｐｐｍ）を示す。
【００５５】
【表６】
2004275582.tif 000008
【００５６】
【表７】
2004275582.tif 000009
【００５７】
結果において、実施例が、表６に示す如く、除菌ガスの立ち上がり濃度（１５分後）が高く、除菌室２７に速やかに拡散して均一化した（１２０分後）。従って、実施例が、収納空間３０で除菌ガスの濃度を速やかに均一化することができる。
【００５８】
本発明の除菌室２７によれば、除菌室本体２８の開閉ドア２９を完全密閉可能に構成すると共に、角部に空気流通孔を形成すると、除菌ガスが収納空間３０の隅々まで確実に到達し得る対流を形成するので、収納空間３０の上部、中部、下部で除菌ガスの濃度を更に短時間で均一化し、除菌対象物を最も好適に除菌することができる。又、密閉状態及び角部の空気流通孔により、除菌ガスは収納空間３０の上部、中部、下部で速やかに均一化するので、短時間で除菌して除菌ガスが蓄積することを防止し、除菌ガスの濃度を安全な濃度に確実に維持することができる。
【００５９】
ここで、完全密閉可能な開閉ドア２９及び角部の空気流通路を形成した場合の作用を明瞭に示すために、先の除菌室２７の実施例と、通常の更衣ロッカーの比較例とを上部、中部、下部の濃度で対比した。表８には実施例、表９には比較例を示し、数値は二酸化塩素の濃度（ｐｐｍ）を示す。
【００６０】
【表８】
2004275582.tif 000010
【００６１】
【表９】
2004275582.tif 000011
【００６２】
結果において、取込ダクト２１を形成した実施例が、表８に示す如く、除菌ガスの立ち上がり濃度（１５分後、３０分後）が高く、除菌室２７に速やかに拡散して均一化した（１２０分後、１８０分後）。従って、取付ダクトを形成した実施例が、収納空間３０の上部、中部、下部で除菌ガスの濃度を速やかに均一化することができる。
【００６３】
尚、本発明は上記形態例にのみ限定されるものではなく、除菌対象物はＩＣ等の電気部品、果物等の食品でも良いこと、空気流路にエアーフィルタを備えて除菌し得るようにしてもよいこと、その他、本発明の要旨を逸脱しない範囲内において種々変更を加え得ることは勿論である。
【００６４】
【発明の効果】
本発明によれば、以下のような優れた効果を奏し得る。
【００６５】
請求項１によれば、容器と紫外線ランプの間に空気を流通させるよう空気取込口から排気ファンまで気流を形成すると共に、容器の周囲を外気に露出させて気流方向と異なる方向から空気を流通させるので、容器と紫外線ランプの間に発生した除菌ガスを滞りなく収納空間に流出させて、収納空間の上部、中部、下部で除菌ガスの濃度を速やかに均一化し、除菌対象物を好適に除菌することができる。又、作業着、白衣等の除菌対象物が障害となっても、空気取込口から排気ファンまでに形成された気流、及び容器の周囲の露出部分により除菌ガスを滞りなく収納空間に流出させるので、除菌ガスは収納空間の隅々に到達して除菌対象物の障害に影響を最小限することができる。更に、除菌ガスは収納空間の上部、中部、下部で速やかに均一化するので、短時間で除菌して除菌ガスが蓄積することを防止し、除菌ガスの濃度を安全な濃度に確実に維持することができる。
【００６６】
請求項２に示す如く、ケース本体は、空気取込口が下面に形成される取込ダクトを備えると、下方から上方へ向かって空気を取り込むので、上下方向の空気の流れを生じて、収納空間の上部、中部、下部の除菌ガス濃度を速やかに均一化し、結果的に、除菌対象物を確実に除菌することができる。
【００６７】
請求項３に示す如く、排気ファンは、風向が上方から下方に向かうよう構成されると、上方から下方へ向かって除菌ガスを流出させるので、上下方向の空気の流れを更に生じて、収納空間の上部、中部、下部の除菌ガス濃度を速やかに均一化し、結果的に、除菌対象物を一層確実に除菌することができる。
【００６８】
請求項４に示す如く、容器に入れる薬剤を、二酸化塩素溶液又は二酸化塩素を溶存させたゲル状固形物のいずれかにすると、除菌対象物を確実に除菌し得ると共に、脱臭及び防虫処理することができる。
【００６９】
請求項５によれば、除菌室本体の収納空間の上方に配置された請求項１〜４のいずれかの除菌装置から除菌ガスを発生させることにより、除菌室本体の収納空間で除菌ガスの速やかな流れを生じさせると共に重力による拡散を利用するので、収納空間の上部、中部、下部で除菌ガスの濃度を短時間で均一化し、除菌対象物を好適に除菌することができる。又、作業着、白衣等の除菌対象物が障害となっても、除菌装置の除菌ガスの速やかな流れ、及び重力による拡散により除菌ガスを滞りなく収納空間に流出させるので、除菌ガスは収納空間の隅々に到達して除菌対象物の障害に影響を最小限することができる。更に、除菌ガスは収納空間の上部、中部、下部で速やかに均一化するので、短時間で除菌して除菌ガスが蓄積することを防止し、除菌ガスの濃度を安全な濃度に確実に維持することができる。
【００７０】
請求項６に示す如く、除菌室本体の開閉ドアを完全密閉可能に構成すると共に、角部に空気流通孔を形成すると、除菌ガスが収納空間の隅々まで確実に到達し得る対流を形成するので、収納空間の上部、中部、下部で除菌ガスの濃度を更に短時間で均一化し、除菌対象物を最も好適に除菌することができる。
【図面の簡単な説明】
【図１】本発明の除菌装置の実施の形態例を示す斜視図である。
【図２】本発明の除菌装置の実施の形態例を示す縦断面図である。
【図３】本発明を適用する除菌室の一例を示す斜視図である。
【図４】本発明を適用する除菌室の他の例を示す斜視図である。
【図５】ロッカーに従来の除菌手段を用いた状態を示す概略図である。
【符号の説明】
１３    除菌装置
１４      容器
１５      紫外線ランプ
１７      排気ファン
１９      ケース本体
２０      空気取込口
２１      取込ダクト
２７      除菌室
２８      除菌室本体
２９      開閉ドア
３０      収納空間
【図１】
2004275582.tif 000012
【図２】
2004275582.tif 000013
【図３】
2004275582.tif 000014
【図４】
2004275582.tif 000015
【図５】
2004275582.tif 000016